(57)【特許請求の範囲】
【請求項１】
被照射面もしくはその近傍に立設されたポールと、
前記被照射面から所定距離だけ離れた位置において前記ポールに固定される、前記ポールを囲むリング形状の筐体と、
前記リング形状の筐体の前記被照射面に対向する面上の第１位置、第２位置、第３位置および第４位置の各々に設けられる光照射用開口と、
前記リング形状の筐体の、前記光照射用開口の各々に対応した内部に設けられる、ＬＥＤ素子を有する発光部と、
前記光照射用開口の各々に設けられる、前記ＬＥＤ素子を有する発光部の各々が発する照射光を長円形状に配光制御するレンズ部と、
を備え、
前記リング形状の筐体の前記被照射面に対向する面上の第１位置と第２位置は各々、前記リング形状における、第１の直径上にある２点の位置であり、
前記リング形状の筐体の前記被照射面に対向する面上の前記第３位置と第４位置は、前記リング形状における、前記第１の直径に直交する第２の直径上の２点の位置であり、
前記ＬＥＤ素子を有する発光部の各々から発せられた光は、前記被照射面上にて、前記ポールの周囲に４つの長円形状の配向パターンを形成し、
前記ポールを挟んで向かい合う２つの前記配向パターンの各長径は互いに平行であり、隣接する前記配向パターンの長径同士は直角に交差し、かつ、４つの前記配向パターンが合わさった全体の照射パターンの輪郭は略円形である、
ことを特徴とするＬＥＤ照明器具。
【発明の詳細な説明】
【技術分野】
【０００１】
本発明は、光源としてＬＥＤを用い、例えば屋外で使用できるＬＥＤ照明器具に関するものである。
【背景技術】
【０００２】
従来より、街路に立設した電柱等の支柱に取り付けられて街路面を照明し、設置環境に合わせて配光を調整することができるＬＥＤ照明器具が提案されている（例えば特許文献１参照）。
図４に示すように、特許文献１に記載のＬＥＤ照明器具である防犯灯１００は、電柱１０１に取付けられる灯体本体１０２を有する。灯体本体１０２は、取付金具１０６によって電柱１０１に取付けられる。灯体本体１０２は、街路進行方向（図４中Ａ方向）を照射する第１ＬＥＤユニット１０３、街路進行方向Ａと反対方向を照射する第２ＬＥＤユニット１０４、および、街路進行方向Ａと直交する方向（図４中Ｂ方向）を照射する第３ＬＥＤユニット１０５を少なくとも有する。これら第１〜第３ユニット１０３、１０４、１０５は、それぞれ個別に取付角度が調整可能となっており、設置環境に合わせて配光が調整可能となっている。
【先行技術文献】
【特許文献】
【０００３】
【特許文献１】特開２００８−２１０６５５号公報（第２図）
【発明の概要】
【発明が解決しようとする課題】
【０００４】
しかしながら、前述したような従来のＬＥＤ照明器具（防犯灯１００）においては、設置環境に合わせて配光を調整する際に、電柱１０１等の支持部材の周囲に均一な円形の配光パターンを得ることが困難である。また、円形の配光パターンに近付けるためには、多数の光源が必要となり、器具の大型化およびコストアップを招くという問題があった。
【０００５】
本発明は、従来の問題を解決するためになされたもので、支持部材の周囲に凹凸が少ない円形に近く、明るさが均一な配光パターンを得ることができるＬＥＤ照明器具を提供することを目的とする。
【課題を解決するための手段】
【０００６】
本発明のＬＥＤ照明器具は、被照射面もしくはその近傍に立設されたポールと、前記被照射面から所定距離だけ離れた位置において前記ポールに固定される、前記ポールを囲むリング形状の筐体と、前記リング形状の筐体の前記被照射面に対向する面上の第１位置、第２位置、第３位置および第４位置の各々に設けられる光照射用開口と、前記リング形状の筐体の、前記光照射用開口の各々に対応した内部に設けられる、ＬＥＤ素子を有する発光部と、前記光照射用開口の各々に設けられる、前記ＬＥＤ素子を有する発光部の各々が発する照射光を長円形状に配光制御するレンズ部と、を備え、前記リング形状の筐体の前記被照射面に対向する面上の第１位置と第２位置は各々、前記リング形状における、第１の直径上にある２点の位置であり、前記リング形状の筐体の前記被照射面に対向する面上の前記第３位置と第４位置は、前記リング形状における、前記第１の直径に直交する第２の直径上の２点の位置であり、前記ＬＥＤ素子を有する発光部の各々から発せられた光は、前記被照射面上にて、前記ポールの周囲に４つの長円形状の配向パターンを形成し、前記ポールを挟んで向かい合う２つの前記配向パターンの各長径は互いに平行であり、隣接する前記配向パターンの長径同士は直角に交差し、かつ、４つの前記配向パターンが合わさった全体の照射パターンの輪郭は略円形である。
【０００７】
この構成により、ＬＥＤ素子により発せられる光が、レンズ部により長円形状（楕円形状を含む。）に照射される発光部を、発光部を有する器具本体を支持するポールの周囲に複数配置した。このとき、隣接する長円形状の照明光の長径同士が重なるように発光部を配置したので、各発光部から発せられる照射光により形成される配光パターンの外側輪郭線を、凹凸の少ない円形状とすることができ、全体として円形で均一な配光パターンを得ることができる。
【発明の効果】
【０００８】
本発明は、長円形状に光を照射する発光部を、器具本体を支持するポールの周囲に複数配置し、隣接する長円形状の照明光の長径同士が重なるようにしたので、各発光部から発せられる照射光により形成される配光パターンの外側輪郭線を、凹凸の少ない円形状とすることができる。これにより、全体として円形で均一な配光パターンを得ることができるという効果を有するＬＥＤ照明器具を提供することができるものである。
【図面の簡単な説明】
【０００９】
【図１】本発明のＬＥＤ照明器具の実施形態を示す全体斜視図
【図２】（Ａ）は発光部の下面図、（Ｂ）は（Ａ）中Ｂ−Ｂ位置の断面図、（Ｃ）は（Ａ）中Ｃ−Ｃ位置の断面図
【図３】（Ａ）は本発明のＬＥＤ照明器具の配光パターンの平面図、（Ｂ）は１個の発光部による配光パターンを示す平面図
【図４】従来のＬＥＤ照明器具の断面図
【発明を実施するための形態】
【００１０】
（第１実施形態）
以下、本発明のＬＥＤ照明器具の実施形態について、図面を用いて説明する。
図１は本発明のＬＥＤ照明器具の実施形態を示す全体斜視図、図２（Ａ）は発光部の下面図、図２（Ｂ）は（Ａ）中Ｂ−Ｂ位置の断面図、図２（Ｃ）は（Ａ）中Ｃ−Ｃ位置の断面図、図３（Ａ）は本発明のＬＥＤ照明器具の配光パターンの平面図、図３（Ｂ）は１個の発光部による配光パターンを示す平面図である。
【００１１】
図１に示すように、本発明にかかるＬＥＤ照明器具１０は、例えば屋外の街灯等として使用することができる。
【００１２】
ＬＥＤ照明器具１０は、路面や縁石等に立設される支持部材であるポール１１と、ポール１１の上端に取付けられる器具本体２０を有する。器具本体２０は、複数本（ここでは、例えば２本）のアーム部材１２によりポール１１の上端部に取付けられている。器具本体２０は、リング形状の筐体２１を有し、下面２１１には光照射用の開口２１２を複数（ここでは、例えば４個）有する。各開口２１２に対応して筐体２１の内部には、光を発する発光部２２を有し、開口２１２にはレンズ（レンズ部）２３を有する。
【００１３】
図２に示すように、発光部２２は、基板２２１に実装されたＬＥＤ素子２２２を有し、発光部２２の前方（照射方向）にはレンズ２３を有する。図２（Ａ）に示すように、レンズ２３は全体長円形状をしており、図２（Ｂ）に示すように、レンズ２３の長手方向の断面は肉厚が略一定である。また、図２（Ｃ）に示すように、長手方向に直交する短手方向の断面は全体略半円形状をしており、肉厚が変化して凸レンズを形成している。すなわち、断面の中央部では肉厚Ａ１が厚く、断面の端部では肉厚Ａ２が薄くなっている。
【００１４】
従って、ＬＥＤ素子２２２から発せられた光は、レンズ２３の長手方向には屈折せずに略直進する（図２（Ｂ）参照）。一方、レンズ２３の短手方向の光は、凸レンズの作用により、中心側へ屈折する（図２（Ｃ）参照）。このため、図３（Ｂ）に示すように、ＬＥＤ素子２２２から発せられた光は、レンズ２３により配光制御されて、長径Ｄおよび短径ｄを有する長円形状（楕円形状を含む。）の照射面２４に照射される。
【００１５】
図１および図３（Ａ）に示すように、器具本体２０の４個の発光部２２から照射される光の照射面２４（ここで、各発光部２２から照射される照射面を総称する場合には、「照射面２４」と記し、個々の発光部２２から照射される照射面を区別する際には、「照射面２４１〜２４４」と記すことにする。）は、隣接する長円形状の照射面２４１〜２４４の長径Ｄ（Ｄ１〜Ｄ４）が、互いに交差するように照射される。従って、各照射面２４１〜２４４の端部では、隣接する照射面２４１〜２４４の端部が重なることになり、全体照射面２５の輪郭２５１は円に近い形状となる。
【００１６】
以上、説明した本発明の実施形態にかかるＬＥＤ照明器具１０によれば、ＬＥＤ素子２２２により発せられる光が、レンズ２３により長円形状に照射される発光部２２を、発光部２２を有する器具本体２０を支持するポール１１の周囲に複数配置した。このとき、隣接する長円形状の照射面２４の長径Ｄ同士が重なるように発光部２２を配置したので、各発光部２２から発せられる照射光により形成される配光パターンである全体照射面２５の外側輪郭線を、凹凸の少ない円形状とすることができ、全体として円形で均一な配光パターンを得ることができる。
【００１７】
また、少ない数（４個）の発光部２２により略円形の配光パターン（全体照射面２５）を得ることができるので、器具本体２０のサイズをコンパクト化することができるとともに、低コスト化を図ることができる。
【００１８】
なお、本発明のＬＥＤ照明器具１０は、前述した実施形態に限定されるものでなく、適宜な変形，改良等が可能である。
例えば、前述した実施形態においては、発光部２２を４個設けた場合について説明したが、発光部２２の数は、任意である。また、ポール１１の形状や、器具本体２０の形状等についても、種々のものに適用することができる。
【符号の説明】
【００１９】
１０  ＬＥＤ照明器具
１１  ポール
２０  器具本体
２２  発光部
２２２  ＬＥＤ素子
２３  レンズ（レンズ部）
Ｄ  長径
【図１】
0005265393.tif 000002
【図２】
0005265393.tif 000003
【図３】
0005265393.tif 000004
【図４】
0005265393.tif 000005